(57)【要約】【課題】ダストカップ内における塵埃の堆積具合を確実に把握して、効率のよいメンテナンス作業を行なうことのできる電気掃除機を提供する。【解決手段】電気掃除機のダストカップでは、塵埃を含んだ空気を送り込む導入口６ａと、塵埃を捕える基準リブ８ａを含むダスト仕切り部７と、塵埃の量を観察するための窓５ａが設けられている。ダスト仕切り部７のクリーニングホルダの突起をダストカップ蓋の凹部に嵌め込むことで、ダスト仕切り部７のダストカップ蓋に対する周方向の位置決めがされて、基準リブ８ａが窓５ａに対して空気の流れの上流側に配置される。【選択図】図１３
2008093340.tif 000002
【特許請求の範囲】
【請求項１】
吸込んだ塵埃を堆積させるダストカップを有する電気掃除機であって、
前記ダストカップは、
筒状で有底のダストカップ本体と、
前記ダストカップ本体の開口側に取付けられるダストカップ蓋と、
前記ダストカップ本体に設けられ、筒状の前記ダストカップ本体の内側で旋回するように前記ダストカップ本体内に塵埃を含んだ空気を導入する導入口と、
前記ダストカップ蓋に取付けられ、前記ダストカップ本体内に導入された空気に含まれる塵埃を捕えるリブを有するダスト仕切り部と、
前記ダストカップ本体に設けられ、前記ダスト仕切り部の前記リブによって捕えられる塵埃の堆積具合を確認するための窓と、
前記所定のリブが前記導入口および前記窓に対して所定の配置関係となる周方向の位置に、前記ダスト仕切り部を前記ダストカップ蓋に取付けるための位置決め部と
を備えた、電気掃除機。
【請求項２】
前記リブは、それぞれ所定の長さをもって放射状に延在する複数のリブ本体を備え、
前記複数のリブ本体のうち、一つのリブ本体の前記所定の長さは残りのリブ本体の前記所定の長さよりも長く設定され、
前記一つのリブ本体が、前記所定の周方向の位置として前記窓に対して空気の流れの上流側に配置された、請求項１記載の電気掃除機。
【請求項３】
前記ダスト仕切り部は、周方向に形成されたカギ部を含み、
前記ダストカップ蓋は、前記カギ部に対応するように周方向に形成された切り欠き部を含み、
前記ダスト仕切り部は、前記カギ部を前記切り欠き部に挿通し周方向に回動させる態様で前記ダストカップ蓋に取付けられる、請求項１または２に記載の電気掃除機。
【請求項４】
前記ダスト仕切り部は、
前記リブが形成されたダスト仕切り下部と、
前記ダスト仕切り下部に対し、軸方向の動きが許容されるように前記ダスト仕切り下部の上に取付けられたダスト仕切り上部と、
前記ダスト仕切り上部の上に固定され、前記カギ部と導入された空気を前記ダストカップ本体の外へ排出する開口部が形成された内筒部と
を含み、
前記ダスト仕切り下部、前記ダスト仕切り上部および前記内筒部は周方向の動きが規制された、請求項３記載の電気掃除機。
【請求項５】
前記ダスト仕切り部は、
前記内筒部に形成された前記開口部に配設されたメッシュと、
前記メッシュを含む前記内筒部を周方向から取囲み、摺動自在に配設されたクリーニングリングと、
前記ダスト仕切り下部と接続され、前記クリーニングリングを下方から保持するクリーニングホルダと
を含む、請求項４記載の電気掃除機。
【請求項６】
前記位置決め部は、
前記クリーニングホルダおよび前記ダストカップ蓋の一方に形成された突起と、
前記クリーニングホルダおよび前記ダストカップ蓋の他方に形成され、前記突起が嵌合する凹部と
を含む、請求項５記載の電気掃除機。
【発明の詳細な説明】
【技術分野】
【０００１】
本発明は電気掃除機に関し、特に、遠心力を利用して塵埃と空気とを分離する電気掃除機に関するものである。
【背景技術】
【０００２】
従来、空気とともに吸引した塵埃を遠心力を利用して空気と分離し、その分離された塵埃を堆積させる電気掃除機がある。この種の電気掃除機の一例について説明する。図２６に示すように、この電気掃除機１０１では、筐体１０３ａ内に電動送風機１３０を内装した掃除機本体１０３に対し、床等に落ちている塵埃を吸込む吸込み口体１２１と、壁や天井等の高所に付着している塵埃等を吸込む吸込み口１２９とが接続されている。
【０００３】
掃除機本体１０３では、その吸込み口体１２１や吸込み口１２９から吸込んだ塵埃を堆積させるダストカップ本体１０６を備えたダストカップ１０５が、筐体１０３ａに着脱可能に取付けられている。図２７および図２８に示すように、そのダストカップ１０５には、吸込み口体１２１（図２６参照）等と接続されてダストカップ本体１０６に塵埃を含んだ空気を送り込む導入口１０６ａが設けられている。また、ダストカップ本体１０６の内部には、導入口１０６ａから送り込まれてダストカップ本体１０６の内周面に沿って旋回する空気に含まれる塵埃を捕える複数のリブ１０８を備えたダスト仕切り１０７が設けられている。
【０００４】
図２８に示すように、導入口１０６ａから筒状のダストカップ本体１０６内に接線方向に送り込まれた空気は、ダストカップ本体１０６の内周面に沿って流れることで竜巻状に旋回をする。空気が旋回をする間に、ダスト仕切り１０７の複数のリブ１０８のうち特定のリブ１０８に空気に含まれる塵埃が接触して、そのリブ１０８に塵埃が捕えられる。そして、その捕えられた塵埃を基点として旋回する空気に含まれる塵埃が順次捕えられて、筒状のダストカップ本体１０６内に周方向に塵埃が順次堆積していくことになる。
【０００５】
図２９および図３０に示すように、ダストカップ１０５の前面側の外周部には、ダストカップ本体内に堆積する塵埃の堆積具合を観察するための窓１０５ａが設けられている。なお、この種のダストカップを備えた電気掃除機を開示した文献の一例として、特許文献１がある。
【特許文献１】特開２００６−１５８４３２号公報
【発明の開示】
【発明が解決しようとする課題】
【０００６】
しかしながら、従来の電気掃除機１０１では次のような問題点があった。上述したように、空気に含まれる塵埃は、ダスト仕切り部１０７の複数のリブ１０８のうち特定のリブ１０８に接触してそのリブ１０８に捕えられ、そして、その捕えられた塵埃を基点として筒状のダストカップ本体１０６内に周方向に塵埃が順次堆積することになる。そのため、特定のリブ１０８と窓１０５ａとの位置関係によっては、ダストカップ本体１０６内に実際に堆積している塵埃の量と、ダストカップ１０５の窓１０５ａから観察される塵埃の量（堆積具合）とが対応していないことがあった。
【０００７】
このことについて説明する。図３１に示すように、まず、塵埃が捕えられる基点となる特定のリブ１０８ａとは、ダストカップ本体１０６の中央部から内周面に向って延在するリブの径方向の長さＬ１が、他のリブ１０８ｂの長さＬ２よりも長く設定されている。空気に含まれる塵埃は、その特定のリブ１０８ａを基点として空気の流れ（矢印１４０）とは反対の向きに順次堆積していく。
【０００８】
この特定のリブ１０８ａを備えたダスト仕切り部１０７は、筒状で有底のダストカップ本体１０６の開口側を塞ぐダストカップ蓋１１２（図２９、図３０参照）にバヨネット（bayonet）方式により留められる。そのため、メンテナンス作業においてダストカップ蓋１１２にダスト仕切り部１０７を取付ける際に、ダスト仕切り部１０７をダストカップ蓋１１２に対して回動させる角度によっては、窓１０５ａに対する特定のリブ１０８ａの周方向位置が変わることがある。
【０００９】
ここで、図３１に示すように、その特定のリブ１０８ａが、窓１０５ａに対して空気の流れの下流側に位置している場合を考える。この場合には、図３２に示すように、塵埃は、特定のリブ１０８ａを基点として堆積を始める。そして、図３３および図３４に示すように、塵埃は矢印１４１に示す向きに順次堆積していく。図３３あるいは図３４に示すように、特定のリブ１０８ａとこれに隣接する他のリブ１０８ｂとの間に塵埃がいっぱいに堆積すると、ダストカップ本体１０６内では、塵埃を堆積する空間がまだ十分に残されているのもかかわらず、窓１０５ａからはダストカップ本体１０６内に塵埃がいっぱいに堆積した状態にあると判断してしまう。そのため、まだ行なう必要のない塵埃を捨てる作業をしてしまうことがあった。
【００１０】
本発明は上記問題点を解決するためになされたものであり、その目的は、ダストカップ内における塵埃の堆積具合を確実に把握して、効率のよいメンテナンス作業を行なうことのできる電気掃除機を提供することである。
【課題を解決するための手段】
【００１１】
本発明に係る電気掃除機は、吸込んだ塵埃を堆積させるダストカップを有する電気掃除機であって、そのダストカップは、筒状で有底のダストカップ本体とダストカップ蓋と導入口とダスト仕切り部と窓と位置決め部とを備えている。ダストカップ蓋はダストカップ本体の開口側に取付けられる。導入口はダストカップ本体に設けられ、筒状のダストカップ本体の内側で旋回するようにダストカップ本体内に塵埃を含んだ空気を導入する。ダスト仕切り部はダストカップ蓋に取付けられ、ダストカップ本体内に導入された空気に含まれる塵埃を捕えるリブを有する。窓はダストカップ本体に設けられ、ダスト仕切り部のリブによって捕えられる塵埃の堆積具合を確認する。位置決め部は、リブが導入口および窓に対して所定の配置関係となる周方向の位置に、ダスト仕切り部をダストカップ蓋に取付ける。
【００１２】
この構成によれば、メンテナンス作業においてダスト仕切り部をダストカップ蓋に取付ける際に、位置決め部により、ダスト仕切り部の周方向の位置がダストカップ蓋に対して一義的に定められて、リブが導入口および窓に対して所定の配置関係となる周方向の位置に配置されることになる。これにより、従来の電気掃除機のように、複数のリブの周方向位置がメンテナンス作業を行なうごとに変わってしまい、そのリブの周方向位置によってはダストカップ本体では、塵埃を堆積する空間がまだ十分に残されているのもかかわらず、窓からはダストカップ本体内に塵埃がいっぱいに堆積した状態にあると判断してしまうようなことがなくなる。その結果、実際にダストカップ本体内に塵埃がいっぱいに堆積した状態で塵埃を棄てる作業等を行なうことができ、効率のよいメンテナンス作業を行なうことができる。
【００１３】
より具体的には、リブは、それぞれ所定の長さをもって放射状に延在する複数のリブ本体を備え、その複数のリブ本体のうち、一つのリブ本体の所定の長さは残りのリブ本体の所定の長さよりも長く設定され、一つのリブ本体が、所定の周方向の位置として窓に対して空気の流れの上流側に配置されていることが好ましい。
【００１４】
これにより、一つのリブ本体から徐々に堆積を始めた塵埃が窓から観察される時点では、ダストカップ本体内に塵埃がいっぱいに堆積した状態にあると確実に判断することができる。
【００１５】
また、ダスト仕切り部は周方向に形成されたカギ部を含み、ダストカップ蓋は、そのカギ部に対応するように周方向に形成された切り欠き部を含み、ダスト仕切り部は、カギ部を切り欠き部に挿通し周方向に回動させる態様でダストカップ蓋に取付けられることが好ましい。
【００１６】
これにより、いわゆるバヨネット方式によってダスト仕切り部がダストカップ蓋に取付けられる構造において、ダスト仕切り部をダストカップ蓋に対して所定の周方向位置に取り付けることができる。
【００１７】
また、ダスト仕切り部は、リブが形成されたダスト仕切り下部と、ダスト仕切り下部に対し、軸方向の動きが許容されるように
ダスト仕切り下部の上に取付けられたダスト仕切り上部と、ダスト仕切り上部の上に固定され、カギ部と導入された空気をダストカップ本体の外へ排出する開口部が形成された内筒部とを含み、ダスト仕切り下部、ダスト仕切り上部および内筒部は周方向の動きが規制されていることがより好ましい。
【００１８】
これにより、カギ部が形成された内筒部をダストカップ蓋に取り付けることで、ダスト仕切り下部に形成されたリブが所定の周方向位置に配置される。
【００１９】
さらに、ダスト仕切り部は、内筒部に形成された開口部に配設されたメッシュと、そのメッシュを含む内筒部を周方向から取囲み、摺動自在に配設されたクリーニングリングと、ダスト仕切り下部と接続され、クリーニングリングを下方から保持するクリーニングホルダとを含むことが好ましい。
【００２０】
これにより、リブによって捕えきれない微細な塵埃をメッシュによって捕えることができるとともに、そのメッシュに捕えられた塵埃をクリーニングリングにより確実に除去することができる。
【００２１】
また、この場合、ダストカップ蓋に対してダスト仕切り部の周方向位置を合わせるには、位置決め部は、クリーニングホルダおよびダストカップ蓋の一方に形成された突起と、クリーニングホルダおよびダストカップ蓋の他方に形成され、突起が嵌合する凹部とを含むことが好ましい。
【発明を実施するための最良の形態】
【００２２】
本発明の実施の形態に係る電気掃除機について説明する。図１および図２に示すように、本電気掃除機１では、筐体３ａ内に電動送風機３０を内装した掃除機本体３に対し、床等に落ちている塵埃を吸込む吸込み口体２１と、壁や天井等の高所に付着している塵埃等を吸込む吸込み口２９とが接続されている。吸込み口体２１と掃除機本体３とは、接続管２２を介して接続されている。吸込み口２９と掃除機本体３とは、吸入管２８および伸縮管２７を介して接続されている。また、通常、吸込み口２９は収容部２６に収容されている。
【００２３】
その掃除機本体３には、吸込み口体２１や吸込み口２９から吸込んだ塵埃を堆積させるダストカップ５が筐体３ａに対して着脱可能に取付けられている。図３および図４に示すように、ダストカップ５は、筒状で有底のダストカップ本体１０６と、そのダストカップ本体１０６の開口側を塞ぐダストカップ蓋１２等を有して構成される。ダストカップ５の上部には、ダストカップ５を筐体３ａに留めるためのカギ部１６と、そのカギ部１６を操作する把持部１７が設けられている。把持部１７を手の指で上に引掛ける態様で持ち上げることで、ダストカップ５が筐体３ａから取外されることになる。また、ダストカップ５の前面部分には、ダストカップ本体６内に堆積した塵埃の量を観察するための窓５ａが設けられている。
【００２４】
そのダストカップ５について、さらに詳しく説明する。図５、図６および図７に示すように、ダストカップ本体６には、吸込み口体２１（図１参照）等と接続されてダストカップ本体６に塵埃を含んだ空気を送り込む導入口６ａ（図５参照）が設けられている。ダストカップ本体６の内部には、その導入口６ａから空気とともにダストカップ本体６内に送り込まれた塵埃を捕えるダスト仕切り部７が配設されている。そのダスト仕切り部７の上部には、ダストカップ本体６内に送り込まれた空気をダストカップ本体６の外へ送り出す内筒部１１が設けられている。
【００２５】
また、ダスト仕切り部７には、ダスト仕切り上部７ａとダスト仕切り下部７ｂとが設けられ、ダスト仕切り下部７ｂには塵埃を捕えるリブ８が設けられている。リブ８は、ダストカップ本体６の内周面に沿って旋回する空気に含まれる塵埃を捕えるように、ダストカップ本体６の中心部分からダストカップ本体６の内周面に向って所定の長さをもって放射状に延在する。このリブ８と窓５ａとの位置関係と、リブ８の長さについては後述する。
【００２６】
ダスト仕切り上部７ａの上端部には内筒部１１が溶着されている。その内筒部１１の側壁には空気を通過させる開口部１１ｂが形成され、また、その開口部１１ｂを通過する空気に残留する塵埃を捕えるメッシュ１１ｃが配設されている。そのメッシュ１１ｃに付着した塵埃を除去するために、内筒部１１にはクリーニングリング９が摺動可能に装着されている。そのクリーニングリング９を下方と周方向とから保持するように、クリーニングホルダ１０が装着されている。クリーニングホルダ１０は、シャフト１５を介してダスト仕切り下部７ｂと接続されている。
【００２７】
ダスト仕切り下部７ｂおよびクリーニングホルダ１０と、ダスト仕切り上部７ａおよび内筒部１１とは軸方向に互いに摺動可能とされて、メンテナンスの際には、たとえば図６および図７に示される状態から図８および図９に示される状態へ、その相対的な位置関係を変えることができる。また、図８および図９に示すように、クリーニングリング９は、内筒部１１から取外すことができる。
【００２８】
図１０および図１１に示すように、内筒部１１の上方には、ダストカップ本体６の開口側を塞ぐダストカップ蓋１２が配設されている。そのダストカップ蓋１２の上には、ダストカップ５の外へ送り出される空気に残留する微細な塵埃を捕えるカップフィルター１３とそのフィルターケース１４が設けられている。
【００２９】
このダスト仕切り部７では、内筒部１１に固定されたダスト仕切り上部７ａには、クリーニングホルダ１０とダスト仕切り下部７ｂとを接続するシャフト１５が挿通されていることで、内筒部１１に対してクリーニングホルダ１０とダスト仕切り下部７ｂの周方向の動きが規制される。これにより、内筒部１１に対してダスト仕切り下部７ｂに形成されたリブ８の周方向の位置が一義的に定まることになる。
【００３０】
その内筒部１１は、バヨネット方式によりダストカップ蓋１２に取り付けられる。これを図１２に示す。内筒部１１の上端部には周方向にカギ部１１ａが形成され、ダストカップ蓋１２には、内筒部１１に連通する開口部の縁にそのカギ部１１ａに対応した切り欠き１２ａが形成されている。そして、窓５ａ（図１３参照）に対してリブ８が周方向の所定の位置に配置するための位置決め部として、クリーニングホルダ１０には突起１０ａが設けられ、ダストカップ蓋１２にはその突起１０ａを受入れる凹部１２ｂが形成されている。なお、図１２は、バヨネット方式によって図１０および図１１に示される内筒部１１の突起１０ａがダストカップ蓋１２に留められる様子を模式的に示すものであり、クリーニングリングやシャフト等の部材は省略されている。
【００３１】
そして、図１３および図１４に示すように、ダスト仕切り下部７ｂに設けられている複数のリブ８においては、一つのリブ８の径方向の長さＬ１が残りのリブ８の径方向の長さＬ２よりも長く設定されている。この径方向長さＬ１を有するリブ８が、塵埃を堆積する基点となる基準リブ８ａとされる。このダストカップ５では、クリーニングホルダ１０の突起１０ａがダストカップ蓋１２の凹部１２ｂに嵌め込まれることで、ダストカップ蓋１２に対する内筒部１１の周方向の位置決めが行なわれて、基準リブ８ａが窓５ａに対して空気の流れ（矢印４０）の上流側に配置されることになる。
【００３２】
次に、上述した電気掃除機１の動作について説明する。図１５に示すように、まず、床等を掃除する場合には、吸込み口体２１から空気とともに塵埃が吸い込まれる。塵埃を含んだ空気は、接続管２２を流れて導入口６ａ（図５等参照）から筒状のダストカップ５内に接線方向に送り込まれることになる。ダストカップ５内に送り込まれた空気は、ダストカップ５内を旋回して、その空気に含まれる塵埃が空気と分離されてダストカップ５内に堆積される。
【００３３】
一方、壁や天井等を掃除する場合には、吸込み口２９から空気とともに塵埃が吸込まれる。塵埃を含んだ空気は、伸縮管２７および吸入管２８を流れてダストカップ５内に送り込まれる。ダストカップ５内に送り込まれた空気は、吸込み口体２１から送り込まれた空気の場合と同様に、ダストカップ５内を旋回して、その空気に含まれる塵埃が空気と分離されてダストカップ５内に堆積される。
【００３４】
こうして、ダストカップ５内において塵埃が分離された空気は、内筒部１１に設けられたメッシュ１１ｃおよびカップフィルタ１３（図１０、図１１参照）を経た後に、電気掃除機１の外へ排出されることになる。なお、メッシュ１１ｃおよびカップフィルタ１３には、ダストカップ５内に堆積されずに空気に残留した微細な塵埃が付着して徐々に堆積する。
【００３５】
次に、ダストカップ５内における空気の流れと塵埃の堆積について詳しく説明する。図１６に示すように、導入口６ａからダストカップ５の筒状のダストカップ本体６内に接線方向に送り込まれた空気は、ダストカップ本体６の内周面に沿って流れることで竜巻状に旋回（矢印４０）をする。
【００３６】
塵埃を含んだ空気がダストカップ本体６内を旋回する間に、ダスト仕切り下部７ｂに設けられた複数のリブ８のうち、径方向の長さＬ１（図１４参照）がより長い基準リブ８ａに塵埃５０が接触しやすくなる。図１７に示すように、基準リブ８ａに接触した塵埃は、その基準リブ８ａに捕えられる。
【００３７】
そして、図１８に示すように、その捕えられた塵埃５０を基点として旋回する空気に含まれる塵埃５０が次々に捕えられて、周方向（矢印４１）に塵埃が堆積していく。やがて、図１９に示すように、塵埃が基準リブ８ａの位置にまで堆積すると、ダストカップ本体６内は塵埃でいっぱいになる。そうすると、ダストカップ６内に堆積した塵埃を棄てる作業を行なうことになる。
【００３８】
次に、そのようなダストカップ５内に堆積した塵埃や、メッシュ１１ｃ等に付着した塵埃を取り除くメンテナンス作業について説明する。まず、ダストカップ５の把持部１７を手で上に持ち上げる態様で引掛けることにより、ダストカップ５を掃除機本体３から取外す（図３等参照）。次に、図２０に示すように、ダストカップ５からダストカップ本体６を取外して、ダストカップ本体６内に堆積した塵埃を棄てる。
【００３９】
次に、ダストカップ蓋１２から内筒部１１（ダスト仕切り部７）を取外す作業を行なう。図２１に示すように、クリーニングリング１０を下げて（矢印４２）突起１０ａを凹部１２ｂから抜き、突起１０ａが凹部に嵌め込まれた状態から突起１０ａを解放する。次に、図２２に示すように、内筒部１１を回転させて（矢印４３）、カギ部１１ａを切り欠き１２ａの位置に合わせる（図１２参照）。そして、図２３に示すように、内筒部１１をダストカップ蓋１２から取外す。次に、内筒部１１に対し径方向あるいは軸方向にクリーニングリング９を摺動することによって、内筒部１１に配設されたメッシュ１１ｂに付着した塵埃を除去する。
【００４０】
次に、図２４に示すように、クリーニングリング９を内筒部１１から取外し、クリーニングリング９に付着した塵埃を除去したり、あるいは、必要に応じて新しいクリーニングリングに交換する。さらに、ダストカップ蓋１２からフィルターケース１４を取外す。そして、図２５に示すように、そのフィルターケース１４からカップフィルター１３を取外してカップフィルター１３に付着している塵埃を除去したり、必要に応じて新しいカップフィルターに交換する。
【００４１】
こうして、ダストカップ本体６内に堆積した塵埃を棄てるとともに、メッシュ１１ｃに付着している塵埃やカップフィルター１３に付着している塵埃を除去した後、上述した手順と逆の操作を行なうことによって、ダストカップ５を元の状態に戻す作業を行なう。
【００４２】
フィルターケース１４をダストカップ蓋１２に取付け、クリーニングリング９を内筒部に装着（図２３〜図２５参照）した後、内筒部１１をダストカップ蓋１２に取付ける作業を行なう（図１２参照）。このとき、まず、クリーニングホルダ１０をダスト仕切り上部７ａの側に寄せた状態でカギ部１１ａを切り欠き１２ａに挿通し、ダストカップ蓋１２の部分よりカギ部１１ａを突出させる。
【００４３】
次に、その状態でクリーニングホルダ１０の突起１０ａが凹部１２ｂに受入れられる位置にまで内筒部１１を周方向に回し、カギ部１１ａを切り欠き１２ａが形成されていない部分に係止させる。そして、クリーニングホルダ１０をダストカップ蓋１２の方にスライドさせて突起１０ａを凹部１２ｂに嵌め込んで、内筒部１１をダストカップ蓋１２に留める。その後、内筒部１１が取付けられたダストカップ蓋１２をダストカップ本体６に取付けることによって、ダストカップ５が元の状態に戻される。最後に、ダストカップ５を掃除機本体３に取付けることによって、一連のメンテナンス作業が完了する。
【００４４】
上述した電気掃除機１では、メンテナンス作業において内筒部１１（ダスト仕切り部７）をダストカップ蓋１２に取付ける際に、クリーニングリング１０に設けられた突起１０ａをダストカップ蓋１２に設けた凹部１２ｂに嵌め込むことによって、内筒部１１の周方向の位置がダストカップ蓋１２に対して一義的に定められる。つまり、内筒部１１のカギ部１１ａをダストカップ蓋１２の切り欠き１２ａが形成されていない部分に係止させる際に、カギ部１１ａをその周方向の所定の位置に係止させることができる。
【００４５】
内筒部１１の周方向が定められることで、その内筒部１１に対し周方向の動きが規制された複数のリブ８を所定の周方向位置に配置させることができ、特に、塵埃を捕らえる基準リブ８ａをダストカップ５に設けられた窓５ａに対して空気の流れの上流側に配置させることができる。
【００４６】
これにより、従来の電気掃除機のように、複数のリブ１０８の周方向位置がメンテナンスを行なうごとに変わってしまい、そのリブ１０８の周方向位置によってはダストカップ本体１０６内では、塵埃を堆積させる空間がまだ十分に残されているのもかかわらず、窓１０５ａからはダストカップ本体１０６内に塵埃がいっぱいに堆積した状態にあると判断してしまうようなことがなくなる（図３３参照）。その結果、実際にダストカップ本体１０６内に塵埃がいっぱいに堆積した状態で塵埃を棄てる作業等を行なうことができ、効率のよいメンテナンス作業を行なうことができる。
【００４７】
なお、上述した電気掃除機１では、塵埃を捕らえる基準リブ８ａをダストカップ５に設けられた窓５ａに対して空気の流れの上流側に配置させた場合を例に挙げて説明した。基準リブ８ａの周方向位置としては、塵埃を含んだ空気が導入される導入口６ａおよび窓５ａの周方向位置との関係で、窓５ａから観察される塵埃がいっぱいになると、ダストカップ本体６内には塵埃がいっぱいに堆積した状態に達したと判断できる所定の周方向位置であれば、上述した周方向位置に限られない。
【００４８】
また、上述した電気掃除機１では、位置決め部として、クリーニングホルダ１０に突起１０ａを設け、ダストカップ蓋１２にその突起１０ａが嵌合する凹部１２ａを設けた場合を例に挙げて説明したが、ダストカップ蓋１２に突起を設け、クリーニングホルダ１０にその突起が嵌合する凹部を形成するようにしてもよい。また、ダストカップ蓋１２に対して内筒部１１の周方向位置を一義的に定めることができれば、突起とこれが嵌合する凹部に限られず、他の位置決め部を適用してもよい。
【００４９】
さらに、クリーニングホルダ１０の外径を、クリーニングリング９を下方から保持できるようにクリーニングリングの直径（外径）よりも大きく設定することが好ましい。これにより、クリーニングリング９を保持してクリーニングホルダ１０を上方にスライドさせることで、クリーニングリング９も一緒にスライドしてメッシュに付着した塵埃を容易に除去することができて、メンテナンス作業が容易になる。
【００５０】
今回開示された実施の形態は例示であってこれに制限されるものではない。本発明は上記で説明した範囲ではなく、特許請求の範囲によって示され、特許請求の範囲と均等の意味および範囲でのすべての変更が含まれることが意図される。
【図面の簡単な説明】
【００５１】
【図１】本発明の実施の形態に係る電気掃除機の正面図である。
【図２】同実施の形態において、図１に示す電気掃除機の一部断面を含む側面図である。
【図３】同実施の形態において、電気掃除機に取付けられるダストカップの斜視図である。
【図４】同実施の形態において、電気掃除機に取付けられるダストカップの正面図である。
【図５】同実施の形態において、ダストカップの断面図である。
【図６】同実施の形態において、ダストカップ内に取付けられるダスト仕切り部の一状態を示す斜視図である。
【図７】同実施の形態において、図６に示すダスト仕切り部の正面図である。
【図８】同実施の形態において、ダストカップ内に取付けられるダスト仕切り部の他の状態を示す斜視図である。
【図９】同実施の形態において、図８に示すダスト仕切り部を示す正面図である。
【図１０】同実施の形態において、ダストカップの一部断面を含む斜視図である。
【図１１】同実施の形態において、ダストカップの一部断面を含む他の斜視図である。
【図１２】同実施の形態において、ダストカップにおけるダスト仕切り部のダストカップ蓋への取付け態様を示す斜視図である。
【図１３】同実施の形態において、ダストカップにおける導入口、リブおよび窓の配置関係を示す斜視図である。
【図１４】同実施の形態において、ダストカップにおける導入口、リブおよび窓の配置関係を示す上面図である。
【図１５】同実施の形態において、電気掃除機の動作を説明するための一部断面を含む側面図である。
【図１６】同実施の形態において、電気掃除機の動作を説明するためのダストカップ内における空気の流れを示す斜視図である。
【図１７】同実施の形態において、電気掃除機の動作を説明するためのダストカップ内における塵埃の一堆積状態を示す上面図である。
【図１８】同実施の形態において、図１７に示す状態の後の塵埃の堆積状態を示す上面図である。
【図１９】同実施の形態において、図１８に示す状態の後の塵埃の堆積状態を示す上面図である。
【図２０】同実施の形態において、ダストカップのメンテナンス作業を説明するための一状態を示す分解斜視図である。
【図２１】同実施の形態において、図２０に示す状態の後の状態を示す一部断面を含む第１の分解斜視図である。
【図２２】同実施の形態において、図２１に示す状態における第２の分解斜視図である。
【図２３】同実施の形態において、図２１または図２２に示す状態の後の状態を示す分解斜視図である。
【図２４】同実施の形態において、図２３に示す状態の後の状態を示す分解斜視図である。
【図２５】同実施の形態において、図２４に示す状態の後の状態を示す分解斜視図である。
【図２６】従来の電気掃除機の一部断面を含む側面図である。
【図２７】図２６に示す電気掃除機に取付けられるダストカップの断面図である。
【図２８】図２７に示すダストカップ内における空気の流れを示す斜視図である。
【図２９】図２７に示すダストカップの斜視図である。
【図３０】図２７に示すダストカップの正面図である。
【図３１】図２７に示すダストカップにおける導入口、リブおよび窓の配置関係を示す上面図である。
【図３２】従来の電気掃除機の問題点を説明するための、ダストカップ内における塵埃の一堆積状態を示す上面図である。
【図３３】図３２に示す状態の後の塵埃の堆積状態を示す上面図である。
【図３４】図３３に示す状態の後の塵埃の堆積状態を示す上面図である。
【符号の説明】
【００５２】
１  電気掃除機、３  掃除機本体、３ａ  筐体、５  ダストカップ、５ａ  窓、６  ダストカップ本体、６ａ  導入口、７  ダスト仕切り部、７ａ  ダスト仕切り上部、７ｂ  ダスト仕切り下部、８  リブ、８ａ  基準リブ本体、８ｂ  リブ本体、９  クリーニングリング、１０  クリーニングホルダ、１０ａ  突起、１１  内筒部、１１ａ  カギ部、１１ｂ  開口部、１１ｃ  メッシュ、１２  ダストカップ蓋、１２ａ  切り欠き、１２ｂ  凹部、１３  カップフィルタ、１４  フィルタケース、１５  シャフト、１７  把持部、２１  吸込み口体、２２  接続管、２６  収容部、２７  伸縮管、２８  吸収管、２９  吸込み口、３０  電動送風機。
【図１】
2008093340.tif 000003
【図２】
2008093340.tif 000004
【図３】
2008093340.tif 000005
【図４】
2008093340.tif 000006
【図５】
2008093340.tif 000007
【図６】
2008093340.tif 000008
【図７】
2008093340.tif 000009
【図８】
2008093340.tif 000010
【図９】
2008093340.tif 000011
【図１０】
2008093340.tif 000012
【図１１】
2008093340.tif 000013
【図１２】
2008093340.tif 000014
【図１３】
2008093340.tif 000015
【図１４】
2008093340.tif 000016
【図１５】
2008093340.tif 000017
【図１６】
2008093340.tif 000018
【図１７】
2008093340.tif 000019
【図１８】
2008093340.tif 000020
【図１９】
2008093340.tif 000021
【図２０】
2008093340.tif 000022
【図２１】
2008093340.tif 000023
【図２２】
2008093340.tif 000024
【図２３】
2008093340.tif 000025
【図２４】
2008093340.tif 000026
【図２５】
2008093340.tif 000027
【図２６】
2008093340.tif 000028
【図２７】
2008093340.tif 000029
【図２８】
2008093340.tif 000030
【図２９】
2008093340.tif 000031
【図３０】
2008093340.tif 000032
【図３１】
2008093340.tif 000033
【図３２】
2008093340.tif 000034
【図３３】
2008093340.tif 000035
【図３４】
2008093340.tif 000036